(57)【要約】【課題】金属閉鎖形スイッチギヤの金属閉鎖箱に要求される仕様に柔軟に対応でき、収容される機器によらず種類を統一することができるスイッチギヤの金属閉鎖箱を提供する。【解決手段】スイッチギヤの構成機器を収容する金属閉鎖箱であって、四角形の枠状に形成され対向する所定の２辺に形成された共通の固定部４を有する下部フレーム部材１０と、収容する機器に応じて用意され上記共通の固定部によって固定し得るように形成された床板部材５とを備え、内部に収納する機器によらず、上記下部フレーム部材が統一されてなることを特徴とする。【選択図】図３
2014011930.tif 000002
【特許請求の範囲】
【請求項１】
スイッチギヤの構成機器を収容する金属閉鎖箱であって、四角形の枠状に形成され対向する所定の２辺に形成された共通の固定部を有する下部フレーム部材と、収容する機器に応じて用意され上記共通の固定部によって固定し得るように形成された床板部材とを備えたことを特徴とするスイッチギヤの金属閉鎖箱。
【請求項２】
上記床板部材は、少なくとも、床下から引き込むケーブルの種類、及び収容される機器の質量を含む複数の項目から設定された互いに異なる複数の種類が用意されていることを特徴とする請求項１記載のスイッチギヤの金属閉鎖箱。
【請求項３】
上記下部フレーム部材における対向する所定の２辺の各辺は断面コ字形状のフレーム材からなり、そのコ字形の開口部分を上方に向けて用いてなることを特徴とする請求項１または請求項２記載のスイッチギヤの金属閉鎖箱。
【請求項４】
上記下部フレーム部材における上記対向する所定の２辺に直交する辺の１つは着脱可能に設けられてなることを特徴とする請求項１から請求項３の何れかに記載のスイッチギヤの金属閉鎖箱。
【請求項５】
上記下部フレーム部材と上記床板部材は、盤幅に応じて予め複数用意されたものから選択して用いられることを特徴とする請求項１から請求項４の何れかに記載のスイッチギヤの金属閉鎖箱。
【発明の詳細な説明】
【技術分野】
【０００１】
本発明は主母線や外線ケーブルのほか、真空遮断器、変圧器やコンデンサなどの重電機器が収納されるスイッチギヤの金属閉鎖箱に関する。
【背景技術】
【０００２】
金属閉鎖形スイッチギヤは、金属閉鎖箱の内部に真空遮断器、変圧器、コンデンサ、主母線、計器用変流器、外線ケーブル等の機器を収納して、配電盤などの電気設備として構成している。従来の技術として、例えば、変圧器を収納した変圧器盤と、変圧器の２次側に接続された複数個の配線用遮断器であるＭＣＣＢを多段に収納したＭＣＣＢ盤とを同一寸法幅にして互いに背合わせに配置することで、変圧器盤のみに必要な高圧主母線を変圧器盤内のみに配設し、不必要にＭＣＣＢ盤内に引回さないことで、安全性や経済性などを改善するようにしたものがある（例えば特許文献１参照）。
【先行技術文献】
【特許文献】
【０００３】
【特許文献１】実公平６−１３５３６号公報（第３〜４頁、図１〜図４）
【発明の概要】
【発明が解決しようとする課題】
【０００４】
スイッチギヤの金属閉鎖箱においては、内部に真空遮断器が搭載される場合のように、床板面には機器を搭載しない構成のものがある一方、コンデンサやリアクトル、変圧器などの場合のように金属閉鎖箱の床板に機器を固定する構成のものがある。また、収容される機器に応じて、例えば変圧器に対応した金属閉鎖箱、変圧器に対応した車輪のガイド、変圧器に対応した固定部が必要となる。また、変圧器の外形寸法が同じでも車輪のガイドや固定部が異なるものもあり、取り合い位置は、変圧器の種類や容量、メーカでも異なっている。また、収納機器や外線ケーブルの引込方向などにより金属閉鎖箱の幅が様々であり、また収納機器の固定方法に合わせて様々なフレームが必要となる。上記特許文献１のような従来の技術においては、安全性や経済性、その他一定の効果が得られるとはいうものの、上記のような広い要求に応えることは困難であるという課題があった。
【０００５】
本発明は、上記のような従来技術の実状に鑑みてなされたものであり、金属閉鎖形スイッチギヤの金属閉鎖箱に要求される仕様に柔軟に対応することができ、収容される機器によらず種類を統一することができるスイッチギヤの金属閉鎖箱を提供することを目的としている。
【課題を解決するための手段】
【０００６】
本発明に係るスイッチギヤの金属閉鎖箱は、スイッチギヤの構成機器を収容する金属閉鎖箱であって、四角形の枠状に形成され対向する所定の２辺に形成された共通の固定部を有する下部フレーム部材と、収容する機器に応じて用意され上記共通の固定部によって固定し得るように形成された床板部材とを備えたことを特徴とするものである。
【発明の効果】
【０００７】
本発明によれば、下部フレーム部材に汎用の固定部を設けて共通化し、床板部材のみを機器に応じて変えるようにしたので、様々な種類のスイッチギヤに柔軟に対応することができる。また、収納機器ごとの金属閉鎖箱を必要としないため、金属閉鎖箱は必要な盤幅だけの種類とすることも可能となり、種類を統一することができる。
【図面の簡単な説明】
【０００８】
【図１】本発明の実施の形態１によるスイッチギヤの金属閉鎖箱の骨組を概略的に示す正面図。
【図２】図１に示された金属閉鎖箱の骨組の側面図。
【図３】図１に示された下部フレーム部材を示す図であり、（ａ）は平面図、（ｂ）は図３（ａ）のＩＩＩｂ−ＩＩＩｂ線における矢視断面図。
【図４】図１に示された下部フレーム部材の各部位を接合前の状態に分解し、前後左右の縦柱との位置関係を含めて示す平面方向に見た分解図。
【図５】本発明の実施の形態１によるスイッチギヤの金属閉鎖箱の床板部材を示す図であり、（ａ）は平面図、（ｂ）は正面図。
【図６】図５に示す床板部材の別の例である変圧器盤用の床板部材を示す図であり、（ａ）は平面図、（ｂ）は正面図。
【図７】図６に示す床板部材の変形例である変圧器盤用の床板部材を示す正面図。
【図８】図３（ｂ）に示す共通の下部フレーム部材１０に、各種の床板部材を装置した組立状態を示す要部断面図であり、（ａ）は図５の床板部材５、（ｂ）は図６の床板部材５Ａ、（ｃ）は図７の床板部材５Ｃを装着したもの。
【図９】本発明の実施の形態２によるスイッチギヤの金属閉鎖箱の下部フレーム部材を示す平面図。
【図１０】図９に示された下部フレーム部材の正面側幅フレームを示す図であり、（ａ）は平面図、（ｂ）は正面図、（ｃ）は側面図。
【図１１】図９に示された下部フレーム部材の正面側幅フレームを外した状態を示す図であり、（ａ）は平面図、（ｂ）は正面図。
【図１２】本発明の実施の形態２によるスイッチギヤの金属閉鎖箱の床板部材を示す図であり、（ａ）は平面図、（ｂ）は正面図。
【図１３】図９に示す下部フレーム部材１０Ａに図１２に示す床板部材５Ｃを装着した状態を示す断面図。
【図１４】図１２に示された床板部材の変形例になる床板部材の正面図。
【発明を実施するための形態】
【０００９】
実施の形態１．
図１は本発明の実施の形態１によるスイッチギヤの金属閉鎖箱の骨組を概略的に示す正面図、図２は図１に示された金属閉鎖箱の骨組の側面図である。図３は図１に示された下部フレーム部材を示す図であり、（ａ）は平面図、（ｂ）は図３（ａ）のＩＩＩｂ−ＩＩＩｂ線における矢視断面図である。図４は図１に示された下部フレーム部材の各部位を接合前の状態に分解し、前後左右の縦柱との位置関係を含めて示す平面方向に見た分解図である。なお、図３において柱部材は図示されていない。図において、スイッチギヤの金属閉鎖箱を構成する骨組１は、四角形の枠状で中心部に後述する床板部材を配置するための穴Ａ（図３に図示）が形成された下部フレーム部材１０と、下部フレーム部材１０のコーナー部に立設された柱部材２０と、柱部材２０の上端に固定された四角形の枠状の上部フレーム部材３０からなっている。柱部材２０は正面側の縦柱２１、２２、裏面側の縦柱２３、２４（縦柱２３は図示されていない）からなる。
【００１０】
下部フレーム部材１０は、図３に示すように、断面Ｌ字形状の正面側幅フレーム１１、断面コ字形状の左右各部の奥行き方向フレーム１２、１３、及び断面Ｌ字形状の裏面側幅フレーム１４で構成されており、溶接等の固定手段で一体化されている。該下部フレーム部材１０の対向する所定の２辺である奥行き方向フレーム１２、１３には、後述する床板部材５を固定するための共通の固定部４が形成されている。該固定部４は、この例では断面コ字形状の奥行き方向フレーム１２、１３における上方向に立ち上がるように設けられた垂直方向の２つの辺の内、下部フレーム部材１０の中心側に位置する辺１２ａ、１３ａを用いて左右対称的に構成されており、各辺１２ａ、１３ａには複数の固定穴４ａが設けられている。また、下部フレーム部材１０の四隅部には金属閉鎖盤をベース（図示省略）に固定するためのベース固定穴６０が設けられている。なお、上部フレーム部材３０については説明を省略する。
【００１１】
図５は、本発明の実施の形態１によるスイッチギヤの金属閉鎖箱の床板部材を示す図であり、（ａ）は平面図、（ｂ）は正面図である。なお、この例は、遮断器を収納する際に用いられる床板部材であり、主回路及び制御ケーブル引込穴有りの場合に対応するようにしたものである。図に示すように床板部材５は、４角形の板材の対向する２辺部を上方向に垂直に折曲し、中央の主面である床面部５１、図の左右部に形成された折曲辺５２、５３を有した形状で成っている。床面部５１の所定部には制御ケーブルを引き込むための穴５ａ、及び主回路ケーブルを引き込みための穴５ｂが設けられ、折曲辺５２、５３には下部フレーム部材１０に設けられた共通の固定部４に対する固定用の複数の孔５ｃが設けられている。床板部材５は下部フレーム部材１０の穴Ａに収まる寸法に形成されており、折曲辺５２、５３を下部フレーム部材１０の固定部４内側に挿入し、固定部の固定穴４ａと床板部材５の孔５ｃをボルト・ナットなどの締結手段で固定することで金属閉鎖箱の床部分が形成される。
【００１２】
なお、基本的構成においては、例えば、骨組１の左右壁面部、背面部、及び天面部にはそれぞれ規定寸法のパネルが取り付けられ、前面部には開閉扉が適宜の固定手段で取り付けられて金属閉鎖箱が形成される。それらの各部材、金属閉鎖箱の内部に構成される例えば機器類の固定フレームや、仕切り壁などは何れも必要に応じて従来のものを適宜選択して用いることができる部分であるので、図示及び説明を省略する。なお、上記ケーブルを天井側から引き込む場合は、上記床板部材５の穴５ａ、５ｂは不要となる。また、制御ケーブルだけを下から引き込む場合には、例えば穴５ａのみを使い、あるいは制御ケーブルを引き込むための穴５ａのみが開いた床板部材を用意することで対応できる。
【００１３】
図６は図５に示す床板部材の別の例である変圧器盤用の床板部材を示す図であり、（ａ）は平面図、（ｂ）は正面図である。なお、この床板部材５Ａは金属閉鎖箱に変圧器を収容し、変圧器盤として用いる場合に対応できるようにしたものである。図において、変圧器盤用の床板部材５Ａは、折曲辺５２Ａ、５３Ａが床面部５１Ａに対して下方向に折曲されている。なお、図３に示す下部フレーム部材１０に対して、その固定部４内側に固定できる寸法に形成されていることは床板部材５と同様である。そして、床板部材５Ａの床面部５１Ａの上面中央部には変圧器等の機器の車輪１００をガイドするための板状の２枚のガイド部材５４が間隔をあけて前後方向に平行に固定され、床面部５１Ａの下面には変圧器の重量を受けるための複数の補強フレーム５５が前後方向に平行に固定されている。
【００１４】
更に、床面部５１Ａの所定部には変圧器を固定するための変圧器固定穴５ｄが設けられている。また、制御ケーブルを引き込む図５と同様の穴５ａも設けられている。なお、上記ガイド部材５４は、図７の変形例になる床板部材５Ｂに示すように、床面部５１Ｂの所定部をプレス加工により、例えば断面クランク状に折曲して前後方向に平行に伸びる対称的な２つの段部を形成し、その段部をガイド部５４Ｂとして、機器の車輪１００をガイドするようにしても良い。その場合、ガイド部材５４が不要となり、ガイド部材５４の取付けの作業も不要にできる。なお、上記図３（ｂ）に示す共通の下部フレーム部材１０に対して、図５に示す床板部材５を組み付けた場合、図６に示す床板部材５Ａを組み付けた場合、及び図７の床板部材５Ｃを組み付けた場合、その組立状態は、それぞれ図８（ａ）、（ｂ）、（ｃ）に示す要部断面図のようになる。
【００１５】
上記のように構成された実施の形態１においては、下部フレーム部材１０に共通の固定部４を設けることで下部フレーム部材１０ないしは骨組１を共通化すると共に、機器に応じて形成された複数の床板部材５、５Ａ、５Ｂなどから、必要な床板部材を選択して用いるようにしたので、収納する機器の種類や、外線ケーブルの引込の有無等に応じて床板部材のみを必要種類用意することで、同一の骨組で様々な種類のスイッチギヤに柔軟に対応することができる。また、収納機器ごとの金属閉鎖箱を必要としないため、金属閉鎖箱は必要な盤幅だけの種類とすることも可能となり、種類を統一し、削減することができる。
【００１６】
また、上記のように金属閉鎖箱は盤幅の異なるものについては種類を設ける必要があるが、収納機器対応の専用品ではなく、どの機器の場合でも、収納機器、外線ケーブルの引き込み有無が決まれば、盤幅が決まるので、その条件に対応した床板部材５（５Ａ、５Ｂなど）を用意し、あるいは設計するだけで対応ができる。また、床板部材５と金属閉鎖箱との取り合いを下部フレーム部材１０の左右に設けられた共通の固定部４で行うようにしたことで、変圧器などの機器の車輪１００や本体等に固定部４が接触しないようにする構造上の制約条件がなくなる。
【００１７】
実施の形態２．
図９は本発明の実施の形態２によるスイッチギヤの金属閉鎖箱の下部フレーム部材を示す平面図、図１０は図９に示された下部フレーム部材の正面側幅フレームを示す図であり、（ａ）は平面図、（ｂ）は正面図、（ｃ）は側面図である。図において、下部フレーム部材１０Ａは、断面Ｌ字形状の正面側幅フレーム１１Ａ、左右に配設された断面コ字形状の奥行き方向フレーム１２Ａ、１３Ａ、及び断面Ｌ字形状の裏面側幅フレーム１４で構成されており、正面側幅フレーム１１Ａを除いて溶接等の固定手段で一体化され前面が開口されたコ字形状に形成されている。
【００１８】
正面側幅フレーム１１Ａは図１０に示すように両側端部に、固定穴１１ｂを有する垂直な固定片１１ａが設けられており、奥行き方向フレーム１２Ａ、１３Ａの中心側の辺１２ａ、１３ａの前端部に対してボルトなどの固定手段（図示省略）で締結することができる構造であり、この締結を外す事により取り外し可能となっている。なお、固定部４や柱部材など、その他の構成は実施の形態１と同様であるので、説明を省略する。
【００１９】
一方、上記のような共通の固定部４が設けられた下部フレーム部材１０Ａに対して好適な床板部材は、例えば図１２、または図１４のように構成される。そして、フレーム部材１０Ａに図１２に示す床板部材５Ｃを装着した場合、図１３の状態となる。なお、図１２は本発明の実施の形態２によるスイッチギヤの金属閉鎖箱の床板部材５Ｃを示す図であり、（ａ）は平面図、（ｂ）は正面図である。図１３は図９に示す下部フレーム部材１０Ａに図１２に示す床板部材５Ｃを装着した状態を示す断面図、図１４は図１２に示された床板部材の変形例になる床板部材５Ｄの正面図であり、何れも変圧器盤用に用意されたものである。図１２において、床板部材５Ｃは、共通の固定部４に対して係合される図の左右部の折曲辺５２Ｃ、５３Ｃが、床面部５１Ｃに対して上方に垂直に折曲形成されている。
【００２０】
また、床面部５１Ｃの所定部には変圧器や遮断器等の機器の車輪１００をガイドする板状のガイド部材５４が固定され、さらに、変圧器固定穴５ｄ、制御ケーブルを引き込むための穴５ａが設けられている。一方、変形例になる床板部材５Ｄは図１４に示すように、機器の車輪１００をガイドするガイド部５４Ｄは板金加工によって形成されており、ガイド部材５４の設置を不要にしている。その他の構成は実施の形態１と同様であるので説明を省略する。
【００２１】
上記のように構成された実施の形態２においては、下部フレーム部材１０Ａの正面側幅フレーム１１Ａを、図１１に示すように取り外し可能に構成すると共に、床板部材５Ｃや床板部材５Ｄは、据付箇所の床面に直接当接させた状態で固定部４に取り付けることができるようにしたので、変圧器のような重量のある機器を取り付けまたは引出す際に、作業を容易に行うことができる。正面側幅フレームが固定されている場合には、それを乗り越えるためにレールを浮かせたり、引出用台を設ける必要などが生じるが、この実施の形態２ではその必要がなくなる。
【００２２】
また、下部フレーム部材１０Ａの正面側幅フレーム１１Ａを取り外せるようにしたことにより、変圧器の重量を床面で受ける形態にすることができる。このため、図６、図７に示す補強フレーム５５が不要となり、装置を簡素化して安価にすることができる。また、図１４に示す変形例では、ガイド部５４Ｄを板金加工によって形成したので、ガイド部材５４が不要となり、ガイド部材５４の取付けの作業も不要にできる。なお、床板部材は、少なくとも、床下から引き込むケーブルの種類、収容される機器の質量などを含む複数の項目から設定された互いに異なる複数の種類を用意することで迅速な対応ができる。また、新たな機器の採用や取り合い位置の変更などで床板部材を新たに設計する場合でも、共通の固定部４に係合できるようにするだけで容易に対応することができる。
【００２３】
なお、本発明は、その発明の範囲内において、各実施の形態の一部または全部を自由に組み合わせたり、各実施の形態を適宜、変形、省略することが可能である。例えば、下部フレーム部材１０、固定部４、床板部材５の形状や構成、あるいは各部の固定手段、穴Ａの大きさ等々は、適宜変更することができることは言うまでもない。
【符号の説明】
【００２４】
１  骨組、  １０、１０Ａ  下部フレーム部材、  １１、１１Ａ  正面側幅フレーム、  １１ａ  固定片、  １１ｂ  固定穴、  １２、１２Ａ、１３、１３Ａ  奥行き方向フレーム、  １２ａ、１３ａ  辺、  １４  裏面側幅フレーム、  ２０  柱部材、  ３０  上部フレーム部材、  ４  固定部、  ４ａ  固定穴、  ５、５Ａ、５Ｂ、５Ｃ、５Ｄ  床板部材、  ５ａ  穴、  ５ｂ  穴、  ５ｃ  孔、  ５ｄ  変圧器固定穴、  ５１、５１Ａ、５１Ｂ、５１Ｃ  床面部、  ５２、５２Ａ、５２Ｃ、５３、５３Ａ、５３Ｃ  折曲辺、  ５４  ガイド部材、  ５４Ｂ  ガイド部、  ５５  補強フレーム、  ６０  ベース固定穴、  １００  機器の車輪、  Ａ  穴。
【図１】
2014011930.tif 000003
【図２】
2014011930.tif 000004
【図３】
2014011930.tif 000005
【図４】
2014011930.tif 000006
【図５】
2014011930.tif 000007
【図６】
2014011930.tif 000008
【図７】
2014011930.tif 000009
【図８】
2014011930.tif 000010
【図９】
2014011930.tif 000011
【図１０】
2014011930.tif 000012
【図１１】
2014011930.tif 000013
【図１２】
2014011930.tif 000014
【図１３】
2014011930.tif 000015
【図１４】
2014011930.tif 000016